(57)【特許請求の範囲】
【請求項１】
媒体を用いて表示操作部の操作により所望の取引を行う自動取引装置と、当該自動取引装置の上位装置として当該自動取引装置と接続されるホストコンピュータとからなる自動取引システムであって、
前記自動取引装置は、前記媒体に記録された所定の手数料以内の取引のみを所望するか否かの手数料制限取引指示情報を読取る手数料制限指示取得部と、読取った手数料制限取引指示情報をホストコンピュータに送信する送信手段を具備し、
前記ホストコンピュータは、前記自動取引装置からの手数料制限取引指示情報に基づいて許可すべき取引科目を決定する手数料制限取引判断部と、当該手数料制限取引判断部にて決定した結果を当該自動取引装置に送信する送信手段を具備し、
前記自動取引装置にて、前記ホストコンピュータから送信された許可すべき取引科目を前記表示操作部に表示するようにしたことを特徴とする自動取引システム。
【請求項２】
媒体を用いて表示操作部の操作により所望の取引を行う自動取引装置と、当該自動取引装置の上位装置として当該自動取引装置と接続されるホストコンピュータとからなる自動取引システムであって、
前記自動取引装置は、所定の手数料以内の取引のみを所望するか否かの手数料制限取引指示情報を顧客が設定できる手数料制限指示受付部と、当該手数料制限指示受付部にて設定された手数料制限取引指示情報をホストコンピュータに送信する送信手段を具備し、
前記ホストコンピュータは、前記自動取引装置からの手数料制限取引指示情報に基づいて許可すべき取引科目を決定する手数料制限取引判断部と、当該手数料制限取引判断部にて決定した結果を当該自動取引装置に送信する送信手段を具備し、
前記自動取引装置にて、前記ホストコンピュータから送信された許可すべき取引科目を前記表示操作部に表示するようにしたことを特徴とする自動取引システム。
【請求項３】
媒体を用いて表示操作部の操作により所望の取引を行う自動取引装置であって、
当該媒体に記録された所定の手数料以内の取引のみを所望するか否かの手数料制限取引指示情報を読取る手数料制限指示取得部と、
当該読取った手数料制限取引指示情報に基づいて許可すべき取引科目を決定する手数料制限取引判断部を具備し、
当該手数料制限取引判断部にて許可された取引科目を表示操作部に表示するようにしたことを特徴とする自動取引装置。
【請求項４】
媒体を用いて表示操作部の操作により所望の取引を行う自動取引装置であって、
所定の手数料以内の取引のみを所望するか否かの手数料制限取引指示情報を顧客が設定できる手数料制限指示受付部と、
当該手数料制限指示受付部にて設定された手数料制限取引指示情報に基づいて許可すべき取引科目を決定する手数料制限取引判断部を具備し、
前記手数料制限取引判断部にて許可された取引科目を表示操作部に表示するようにしたことを特徴とする自動取引装置。
【請求項５】
媒体を用いて表示操作部の操作により所望の取引を行う自動取引方法であって、
当該媒体に記録された所定の手数料以内の取引のみを所望するか否かの手数料制限取引指示情報を読取る手数料制限指示取得ステップと、
前記手数料制限指示取得ステップにより取得した手数料制限取引指示情報に基づいて許可すべき取引科目を決定する手数料制限取引判断ステップと、を備え、
当該手数料制限取引判断ステップにて許可された取引科目を表示操作部に表示するようにしたことを特徴とする自動取引方法。
【請求項６】
媒体を用いて表示操作部の操作により所望の取引を行う自動取引方法であって、
所定の手数料以内の取引のみを所望するか否かの手数料制限取引指示情報を顧客が設定できる手数料制限指示受付ステップと、
前記手数料制限指示受付ステップにて設定された手数料制限取引指示情報に基づいて許可すべき取引科目を決定する手数料制限取引判断ステップと、を備え、
当該手数料制限取引判断ステップにて許可された取引科目を表示操作部に表示するようにしたことを特徴とする自動取引方法。
【請求項７】
前記手数料制限を、手数料が無料であることとしたことを特徴とする請求項１若しくは請求項２記載の自動取引システムまたは請求項３記載若しくは請求項４の自動取引装置または請求項５若しくは請求項６記載の自動取引方法。
【請求項８】
前記手数料制限取引指示情報が、所定の手数料以上の取引も所望すると設定されたときは、前記表示操作部への表示は、手数料に応じて取引科目の選択のボタンを表示場所を分けまたは色を分けて表示するようにしたことを特徴とする請求項１若しくは請求項２記載の自動取引システムまたは請求項３記載若しくは請求項４の自動取引装置または請求項５若しくは請求項６記載の自動取引方法。
【発明の詳細な説明】
【技術分野】
【０００１】
本発明は、手数料を支払って所望の取引を行う自動取引装置および自動取引システムに関するものである。
【背景技術】
【０００２】
一般に、現金自動預払機等の自動取引装置における取引手数料は、取引種別や取引時間帯によって異なり、また、自動取引装置を設置している金融機関（以下、「自行」という。）の口座での取引か、それ以外の金融機関（以下、「他行」という。）の口座での取引かによっても異なっている。
【０００３】
この手数料は、自動取引装置の筐体やその近傍の壁面などに一覧表等で掲示されていたり、取引開始時に一時的に自動取引装置の表示操作部の画面上に一覧表等で表示されたりするだけであり、顧客は取引開始前にこれから実施する取引によって手数料が徴収されるか否かは、この手数料の一覧表により顧客自身が判断するしかなかった。
【０００４】
そして、顧客への最終的な手数料徴収の有無およびその金額の通知は、取引開始前には行われず、当該取引を開始した後に行われていた。
【０００５】
上記課題を解決するために、顧客ごとに取引種別にかかわらず手数料を無料とする時間帯をあらかじめホストコンピュータに登録しておき、当該顧客が取引を行う際に、登録した手数料無料の時間帯情報に基づいた利用手数料を自動取引装置へ送信して表示させ、顧客に知らせるという技術はあった（例えば、特許文献１参照。）。
【先行技術文献】
【特許文献】
【０００６】
【特許文献１】特開２００９−７００３０号公報
【発明の概要】
【発明が解決しようとする課題】
【０００７】
しかしながら、顧客ごとに手数料無料の時間帯を登録しない通常の自動取引装置および自動取引システムでは、顧客は取引開始前に掲示された手数料一覧や表示された手数料一覧表から顧客自身で手数料の有無および金額を判断して取引を進めるため、手数料が無料であると誤って判断して取引し、後に手数料を徴収されてしまうことがあった。
【０００８】
また、前記特許文献１の顧客ごとに取引種別にかかわらず手数料無料の時間帯を予め登録しておく方法でも、表示された手数料を見逃して取引を行い、その結果、手数料が無料とならず、後に手数料を徴収されてしまうことがあった。
【課題を解決するための手段】
【０００９】
本発明は、前述の課題を解決するため次の手段を採用する。すなわち、媒体を用いて表示操作部の操作により所望の取引を行う自動取引装置と、当該自動取引装置の上位装置として当該自動取引装置と接続されるホストコンピュータとからなる自動取引システムであって、前記自動取引装置は、前記媒体に記録された所定の手数料以内の取引のみを所望するか否かの手数料無料取引指示情報を読取る手数料無料指示取得部と、読取った手数料無料取引指示情報をホストコンピュータに送信する送信手段を具備し、前記ホストコンピュータは、自動取引装置からの手数料無料取引指示情報に基づいて許可すべき取引科目を決定する手数料無料取引判断部と、当該手数料無料取引判断部にて決定した結果を当該自動取引装置に送信する送信手段を具備し、前記自動取引装置にて、前記ホストコンピュータから送信された許可すべき取引科目を前記表示操作部に表示するようにした。
【発明の効果】
【００１０】
本発明の自動取引システムによれば、媒体を用いて表示操作部の操作により所望の取引を行う自動取引装置と、当該自動取引装置の上位装置として当該自動取引装置と接続されるホストコンピュータとからなる自動取引システムであって、前記自動取引装置は、前記媒体に記録された所定の手数料以内の取引のみを所望するか否かの手数料無料取引指示情報を読取る手数料無料指示取得部と、読取った手数料無料取引指示情報をホストコンピュータに送信する送信手段を具備し、前記ホストコンピュータは、自動取引装置からの手数料無料取引指示情報に基づいて許可すべき取引科目を決定する手数料無料取引判断部と、当該手数料無料取引判断部にて決定した結果を当該自動取引装置に送信する送信手段を具備し、前記自動取引装置にて、前記ホストコンピュータから送信された許可すべき取引科目を前記表示操作部に表示するようにしたので、手数料が無料であると誤って判断して取引し、後に手数料を徴収されてしまうことがない。
【図面の簡単な説明】
【００１１】
【図１】実施例１の自動取引システムの構成図である。
【図２】実施例１の自動取引装置の概観斜視図である。
【図３】実施例１の自動取引装置の制御系ブロック図である。
【図４】実施例１の自動取引システムの取引カードの構成図である。
【図５】実施例１の自動取引システムの取引通帳の構成図である。
【図６】実施例１の自動取引装置の動作フローチャート図である。
【図７】実施例１の自動取引装置の表示操作部の表示画面例である。
【図８】実施例１の自動取引装置の表示操作部の表示画面例である。
【図９】実施例２の自動取引装置の制御系ブロック図である。
【図１０】実施例２の自動取引装置の動作フローチャート図である。
【図１１】実施例２の自動取引装置の表示操作部の表示画面例である。
【図１２】実施例２の自動取引装置の表示操作部の表示画面例である。
【図１３】実施例２の自動取引装置の表示操作部の表示画面例である。
【図１４】実施例２の自動取引装置の表示操作部の表示画面例である。
【発明を実施するための形態】
【００１２】
以下、本発明に係わる実施の形態例を、図面を用いて説明する。図面に共通する要素には同一の符号を付す。なお、以下の実施例では、手数料無料の取引のみを選択できる例として説明するが、所定の手数料以内の取引、すなわち所定の手数料にて制限された手数料制限取引のみを選択できるようにしてもよい。
【実施例１】
【００１３】
（構成）
（自動取引システムの構成）
図１は、実施例１の自動取引システムの概略構成図である。同図に示したように、実施例１の自動取引システムは、金融機関などに設置される自動取引装置１１ａ、１ｂ、１ｃ等が通信回線１２を介してホストコンピュータ１３に接続された構成となっている。
【００１４】
そして、自動取引装置１ａ、１ｂ、１ｃ等には顧客カード等に記録された後述の手数料無料指示情報を取得する手数料無料指示取得部２１ａが設けられており、ホストコンピュータ１３には、自動取引装置１ａ、１ｂ、１ｃ等から受信した後述の手数料無料指示情報に基づいて当該自動取引装置に対して手数料無料として許可する取引科目を決定し、決定した取引科目を当該自動取引装置に返信する機能を有する手数料無料取引判断部１３ａが設けられた構成となっている。
【００１５】
（自動取引装置の外観構成）
実施例１の自動取引装置１は、図２のような外観をしており、硬貨入出金口２、紙幣入出金口３、表示操作部４、通帳挿入口５、カード挿入口６を備えている。
【００１６】
そして、紙幣入出金口３は、紙幣が投入されるとともに、紙幣が排出される開口部である。紙幣入出金口３には、シャッタが設けられシャッタが駆動されることにより紙幣入出金口３が開閉される。
【００１７】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１８】
そして、紙幣入出金口３の奥部には、後述の紙幣の入出金処理を行う紙幣処理部２６が設けられており、カード挿入口６の奥部には、後述のカード処理部２１が設けられている。
【００１９】
また、硬貨入出金口２の奥部には、硬貨の入出金処理を行う後述の硬貨処理部２５が設けられており、通帳挿入出口５の奥部には、後述の通帳処理部２３が設けられている。
【００２０】
表示操作部４は、ＬＣＤ等の上に透明タッチパネルを積層して構成され、操作ガイダンス等が表示され、当該ガイダンスに従い顧客が各種の入力操作を行なうものである。
【００２１】
（自動取引装置の内部構成）
図３は、実施例１の自動取引装置１の内部構成図である。同図に示したように、実施例１の自動取引装置１は、後述する各部の制御を行う主制御部２０と、前述の表示操作部として機能する表示操作部４と、キャッシュカード等の顧客カードの磁気ストライプのリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６を有する。
【００２２】
さらに、実施例１の自動取引装置１は、カード処理部２１にて後述する図４の顧客カード３１の磁気ストライプ３２から読み取った磁気ストライプデータから手数料無料指示情報３２ａを取出して保持する手数料無料指示取得部２１ａを有する。
【００２３】
また、実施例１の自動取引装置１は、各部に電源を供給する電源部２７と、主制御部２０の記憶部として機能しプログラムや制御パラメータなどを記憶するメモリ部２８と、ホストコンピュータ１３とのインタフェイスを制御するインタフェイス部２９を有する。
【００２４】
図４は、実施例１の自動取引装置１にて使用する顧客カード３１の一例であり、同図に示したように、顧客カード３１は、顧客情報や、手数料無料の取引のみを所望するか否かの手数料無料取引指示情報３２ａなどの各種データを保持するための磁気ストライプ３２が設けられている。なお、前記各情報は、顧客カード３１にＩＣチップを設け、当該ＩＣチップに格納するようにしてもよい。
【００２５】
また、手数料無料の取引のみを所望するか否かの手数料無料取引指示情報３２ａは、顧客カード３１の作成を申込む際に顧客の要望に応じて記録するようにしてもよいし、顧客が表示操作部４を操作しカード処理部２１にて記録するようにしてもよい。
【００２６】
図５は、実施例１の自動取引装置１で使用する通帳４１の一例であり、同図に示したように、顧客カード４１は、顧客情報や手数料無料取引指示情報４２ａなどの各種データを保持するための磁気ストライプ４２が設けられている。なお、顧客カード３１と同様、ＩＣチップを設け、当該ＩＣチップに前記各情報を格納するようにしてもよい。
【００２７】
また、手数料無料の取引のみを所望するか否かの手数料無料取引指示情報４２ａは、顧客カード３１と同様、通帳４１の作成を申込む際に顧客の要望に応じて記録するようにしてもよいし、顧客が表示操作部４を操作して通帳処理部２３にて記録するようにしてもよい。
【００２８】
（動作）
以上の構成により実施例１の自動取引装置は、以下のように動作する。この動作を図６の動作フローチャート図および図７、図８の表示操作部４の画面表示例を用いて以下詳細に説明する。なお、図７は手数料無料の取引科目があるときの取引選択画面例、図８は手数料無料の取引科目がないときの画面例となっている。
【００２９】
まず、自動取引装置１のカード処理部２１のカード挿入口６に図４の顧客カード３１が挿入されると、顧客カード３１を吸入し（ステップＳ１１）、顧客カード３１の磁気ストライプ３２やＩＣチップから顧客情報を取得する（ステップＳ１２）。
【００３０】
さらに、手数料無料指示取得部２１ａにより磁気ストライプ３２の手数料無料指示情報３２ａを取出し（ステップＳ１３）、前記顧客情報とともにホストコンピュータ１３に送信する（ステップＳ１４）。
【００３１】
なお、顧客カード３１ではなく、図５に示したような通帳４１が通帳処理部２３の通帳挿入口５に挿入された場合は、顧客情報と手数料無料指示情報４２ａを磁気ストライプ４２やＩＣチップから読出し、ホストコンピュータ１３に送信すればよい。
【００３２】
ホストコンピュータ１３は、自動取引装置１からの手数料無料指示情報３２ａおよび顧客情報を受信すると（ステップＳ１５）、手数料無料取引判断部１３ａにより手数料無料指示情報３２ａを確認し（ステップＳ１６）、手数料無料取引指示情報が「あり」で顧客が手数料無料の取引のみを所望する場合には、自行／他行データや現在の時刻などから手数料が無料となる取引科目を許可する取引科目と判断する（ステップＳ１７）。
【００３３】
一方、手数料無料取引指示情報が「なし」の場合で、顧客が手数料無料の取引以外も所望する場合は、通常の取引科目を許可する取引科目と判断する（ステップＳ１８）。
【００３４】
そして、それぞれ判断した許可取引科目情報を顧客情報等を送信してきた自動取引装置１に返信する（ステップＳ１９）。
【００３５】
自動取引装置１は、ホストコンピュータ１３から許可された取引科目情報を受信すると（ステップＳ２０）、手数料無料指示取得部２１ａにより取得した手数料無料指示情報３２ａを確認し（ステップＳ２１）、手数料無料取引指示情報が「なし」の場合は、顧客が手数料無料の取引以外も所望しているので、表示操作部４に通常の取引選択メッセージを表示し（ステップＳ２２）、ホストコンピュータ１３より受信した許可取引科目を表示し（ステップＳ２８）、顧客の取引科目の選択を待つ（ステップＳ２９）。
【００３６】
一方、手数料無料取引指示情報が「あり」の場合は、顧客が手数料無料の取引のみを所望しているので、ホストコンピュータ１３より受信した許可取引科目を確認し（ステップＳ２３）、許可取引科目が「あり」の場合は、図７に示したように、手数料無料取引科目ありのメッセージ５０ｍを表示操作部４に表示し（ステップＳ２４）、受信した許可取引科目を表示し（ステップＳ２８）、顧客の取引科目の選択を待つ（ステップＳ２９）。
【００３７】
なお、図７の画面例は、残高照会５０ａ、入金５０ｂ、自行内の口座間振替５０ｄが無料にて取引を行うことができる取引でありこれらが取消ボタン５０ｘとともに表示され、有料取引となる出金５０ｃ、自行振込５０ｅ、他行振込５０ｆのボタンが表示されない例となっている。
【００３８】
また、ステップＳ２３にて、ホストコンピュータ１３より受信した無料取引となる許可取引科目が「なし」の場合には、図８に示したように、手数料無料取引科目なしのメッセージ５１ｍを表示操作部４に終了ボタン５１ｘとともに表示し（ステップＳ２５）、顧客カード３１を返却し（ステップＳ２６）、取引を終了する。
【００３９】
なお、図８の画面例は、無料にて取引を行うことができる取引がなく、いずれの取引選択ボタンも表示されない例となっている。
【００４０】
（実施例１の効果）
以上のように、実施例１の自動取引システムによれば、顧客カード等の媒体を用いて表示操作部の操作により所望の取引を行う自動取引装置と、当該自動取引装置の上位装置として当該自動取引装置と接続されるホストコンピュータとからなる自動取引システムであって、前記自動取引装置は、前記媒体に記録された手数料無料の取引のみを所望するか否かの手数料無料取引指示情報を読取る手数料無料指示取得部と、読取った手数料無料取引指示情報をホストコンピュータに送信する送信手段を具備し、前記ホストコンピュータは、自動取引装置からの手数料無料取引指示情報に基づいて許可すべき取引科目を決定する手数料無料取引判断部と、当該手数料無料取引判断部にて決定した結果を当該自動取引装置に送信する送信手段を具備し、前記自動取引装置にて、前記ホストコンピュータから送信された許可すべき取引科目を前記表示操作部に表示するようにしたので、手数料が無料であると誤って判断して取引し、後に手数料を徴収されてしまうことがない。
【実施例２】
【００４１】
（構成）
図９は、実施例２の自動取引装置の内部構成を示した図である。同図に示したように、実施例２の自動取引装置では、実施例１の手数料無料指示取得部２１ａの代わりに手数料無料取引指示受付部３０を設け、顧客が手数料無料取引のみを所望するか否かの手数料無料取引指示情報を表示操作部４に表示する手数料無料取引受付画面により登録し、手数料無料取引指示受付部３０に保持できる構成となっている。
【００４２】
実施例２の自動取引装置のその他の内部構成、自動取引システムの構成は、実施例１の構成と同様であるので、簡略化ためにその詳細な説明は省略する。
【００４３】
（動作）
以上の構成により実施例２の自動取引装置１は以下のように動作する。この動作を図１０の動作フローチャート図および図１１〜図１４の表示操作部４の画面表示例を用いて以下詳細に説明する。
【００４４】
なお、図１１は、自動取引装置１の表示操作部４に表示する手数料無料取引受付画面６０の画面例であり、案内メッセージ６０ｍと、手数料無料取引のみを所望する場合に押下する手数料無料取引ボタン６０ａと、手数料にかかわらずすべての取引から選択することを所望する場合に押下する手数料無料＆有料取引ボタン６０ｂと、取消ボタン６０ｘが表示されるようになっている。
【００４５】
そして、手数料無料取引ボタン６０ａが押下されると手数料無料取引指示受付部３０に手数料無料取引指示情報として「あり」を登録し、インタフェイス部２９を介してホストコンピュータ１３に当該手数料無料取引指示情報が送信されるようになっている。
【００４６】
先ず、自動取引装置１のカード処理部２１のカード挿入口６に顧客カードが挿入されると、顧客カードを吸入し（ステップＳ５１）、顧客カードの磁気ストライプやＩＣチップから顧客情報を取得する（ステップＳ５２）。
【００４７】
なお、顧客カードではなく、通帳が通帳処理部２３の通帳挿入口５に挿入された場合は、顧客情報を磁気ストライプやＩＣチップから取得することになる。
【００４８】
次に、手数料無料取引受付部３０は、表示操作部４に図１１の手数料無料取引受付画面６０を表示し、顧客が手数料無料取引のみを所望するかどうかを受付ける（ステップＳ５３）。
【００４９】
そして、手数料無料取引ボタン６０ａが選択された場合には手数料無料指示情報として「あり」を設定し、手数料無料＆有料取引ボタン６０ｂが選択された場合には「なし」を設定し、ステップＳ５２にて取得した顧客情報とともにホストコンピュータ１３に送信する（ステップＳ５４）。
【００５０】
ホストコンピュータ１３は、自動取引装置１からの手数料無料指示情報および顧客情報を受信すると（ステップＳ５５）、手数料無料取引判断部１３ａにて手数料無料指示情報を確認し（ステップＳ５６）、手数料無料取引指示が「あり」の場合には、顧客が手数料無料取引のみを所望しているので、自行／他行データや現在の時刻などから手数料が無料となる取引科目を判断する（ステップＳ５７）。
【００５１】
一方、手数料無料取引指示情報が「なし」の場合には、通常の取引科目をそれぞれ許可する取引科目と判断して（ステップＳ５８）、判断した許可取引科目情報を自動取引装置１に送信する（ステップＳ５９）。
【００５２】
自動取引装置１は、ホストコンピュータ１３からの許可された取引科目情報を受信すると（ステップＳ６０）、手数料無料取引受付部３０で取得し保持していた手数料無料指示情報を確認し（ステップＳ６１）、手数料無料取引指示情報が「なし」の場合には、表示操作部４に通常の取引選択メッセージを表示し（ステップＳ６２）、ホストコンピュータ１３より受信した許可取引科目を表示し（ステップＳ６８）、顧客の取引科目の選択を待つ（ステップＳ６９）。
【００５３】
この場合、図１２に示したように、無料取引と有料取引を分けて表示するようにするとよい。この画面例では、残高照会ボタン６１ａ、入金ボタン６１ｂ、振替ボタン６１ｃが無料取引として表示され、出金ボタン６１ｄ、自行振込ボタン６１ｅ、他行振込６１ｆが有料取引として表示された例となっている。
【００５４】
或いは、図１３に示したように、手数料の額に応じて選択ボタンを色わけして表示するようにしてもよい。この画面例では、例えば、２１０円の手数料が必要な他行振込取引の選択ボタン６２ｆを赤色で表示し、１０５円の手数料が必要な出金取引、自行振込取引の選択ボタン６２ｃ、６２ｅを橙色で表示し、その他の無料の取引の選択ボタンを白で表示するようにしてもよい。
【００５５】
或いは、図１４に示したように、左側の無料取引一覧を先ず表示し有料取引一覧への移行ボタンとして有料取引一覧ボタン６３ｚを表示し、有料取引一覧ボタン６３ｚが押下されたときに、右側に示した有料取引一覧を表示するようにし、有料取引一覧の無料取引一覧ボタン６４ｚが押下されたときに、左側に示した無料取引一覧の表示に切替えるようにしてもよい。
【００５６】
この画面例では、無料取引が残高照会、入金取引、振替取引で、その選択ボタンがそれぞれ６３ａ、６３ｂ、６３ｃであり、有料取引が出金取引、自行振込取引、他行振込取引で、その選択ボタンがそれぞれ６４ａ、６４ｂ、６４ｃの例となっている。
【００５７】
一方、手数料無料取引指示情報が「あり」の場合には、ホストコンピュータ１３より受信した許可取引科目を確認し（ステップＳ６３）、許可取引科目が「あり」の場合は、実施例１にて説明した図７のような手数料無料取引科目ありのメッセージ５０ｍを表示操作部４に表示し（ステップＳ６４）、受信した許可取引科目を表示し（ステップＳ６８）、顧客の取引科目の選択を待つ（ステップＳ６９）。
【００５８】
ホストコンピュータ１３より受信した許可取引科目が「なし」の場合には実施例１にて説明した図８のような手数料無料取引科目なしメッセージ５１ｍを表示操作部４に表示し（ステップＳ６５）、顧客カードを返却し（ステップＳ６６）、取引を終了する。
【００５９】
（実施例２の効果）
以上のように、実施例２の自動取引システムによれば、媒体を用いて表示操作部の操作により所望の取引を行う自動取引装置と、当該自動取引装置の上位装置として当該自動取引装置と接続されるホストコンピュータとからなる自動取引システムであって、前記自動取引装置は、手数料無料の取引のみを所望するか否かの手数料無料取引指示情報を顧客が設定できる手数料無料指示受付部と、当該手数料無料指示受付部にて設定された手数料無料取引指示情報をホストコンピュータに送信する送信手段を具備し、前記ホストコンピュータは、自動取引装置からの手数料無料取引指示情報に基づいて許可すべき取引科目を決定する手数料無料取引判断部と、当該手数料無料取引判断部にて決定した結果を当該自動取引装置に送信する送信手段を具備し、前記自動取引装置にて、前記ホストコンピュータから送信された許可すべき取引科目を前記表示操作部に表示するようにしたので、実施例１の効果と同様、手数料が無料であると誤って判断して取引し、後に手数料を徴収されてしまうことがない。
【００６０】
《その他の変形例》
なお、以上の実施例の説明では、顧客カード等の媒体に記録される手数料無料取引指示情報を、手数料無料の取引のみを所望するか否かの情報として説明したが、所定の額以内の手数料の取引のみを所望するか否かを表わす手数料制限取引指示情報とし、所定の額以内の手数料の取引のみを所望するときは、所定の額以内の手数料の取引のみを表示操作部に表示するようにしてもよい。
【００６１】
また、以上の実施例の説明では、自動取引装置１からホストコンピュータ１３に手数料無料指示情報を送信し、ホストコンピュータ１３から当該手数料無料指示情報に基づいて許可する取引科目を自動取引装置１に返信し、当該取引科目を表示操作部４に表示するように説明したが、手数料無料指示情報に基づいて許可する取引科目情報を自動取引装置１に格納しておき、許可する取引科目情報を自動取引装置１にて判断し、表示操作部４に表示するようにしてもよい。
【産業上の利用可能性】
【００６２】
以上述べたように、本発明は、顧客の操作により選択された取引を行う現金自動預払機などの自動取引装置に広く利用することができる。
【符号の説明】
【００６３】
１    自動取引装置
４    表示操作部
５    通帳挿入口
６    カード挿入口
１２  通信回線
１３  ホストコンピュータ
１３ａ  手数料無料取引判断部
２０  主制御部
２１  カード処理部
２１ａ  手数料無料指示取得部
２３  通帳処理部
２８  メモリ部
３０  手数料無料取引受付部
３１  顧客カード
４１  通帳
３２、４２  磁気ストライプ
３２ａ、４２ａ  手数料無料取引指示情報
【図１】
0005434557.tif 000002
【図２】
0005434557.tif 000003
【図３】
0005434557.tif 000004
【図４】
0005434557.tif 000005
【図５】
0005434557.tif 000006
【図６】
0005434557.tif 000007
【図７】
0005434557.tif 000008
【図８】
0005434557.tif 000009
【図９】
0005434557.tif 000010
【図１０】
0005434557.tif 000011
【図１１】
0005434557.tif 000012
【図１２】
0005434557.tif 000013
【図１３】
0005434557.tif 000014
【図１４】
0005434557.tif 000015